(57)【要約】【課題】光波長選択制御装置に関し、波長選択光フィルタによる波長選択処理を高精度に行なえるようにする。【解決手段】Ｎ（Ｎは２以上の自然数）波長の光信号が波長多重された光信号から最大でｍ（ｍは１＜ｍ＜Ｎを満足する自然数）波長の光信号を波長選択用の周波数信号に応じて抽出する波長選択部１Ａと、前記周波数信号を出力するｍ個の周波数発振器２ａ−１〜２ａ−ｍと、この周波数発振器２ａ−１〜２ａ−ｍから出力される周波数信号の周波数をそれぞれ制御しうる制御部３Ａと、前記周波数発振器２ａ−１〜２ａ−ｍからの周波数信号の出力をそれぞれ停止しうるｍ個の停止部４ａ−１〜４ａ−ｍとをそなえるとともに、前記制御部３Ａが、周波数発振器２ａ−１〜２ａ−ｍから出力される周波数信号の周波数を変更している間、当該周波数信号の出力を停止させるように前記停止部４ａ−１〜４ａ−ｍを制御する。【選択図】図３
2006178507.tif 000002
【特許請求の範囲】
【請求項１】
Ｎ（Ｎは２以上の自然数）波長の光信号が波長多重された波長多重光信号から最大でｍ（ｍは１＜ｍ＜Ｎを満足する自然数）波長の光信号を波長選択用の周波数信号に応じて抽出する波長選択部と、
該波長選択部において抽出すべき光信号の波長に対応した周波数をもった信号を該波長選択用の周波数信号として出力するｍ個の周波数発振器と、
該周波数発振器から出力される該周波数信号の周波数をそれぞれ制御しうる制御部と、
該周波数発振器からの該周波数信号の出力をそれぞれ停止しうるｍ個の停止部とをそなえるとともに、
該制御部が、該周波数発振器から出力される該周波数信号の周波数を変更している間、当該周波数信号の出力を停止させるように該停止部を制御することを特徴とする、光波長選択制御装置。
【請求項２】
該波長選択部が、該波長多重光信号から任意のｍ波長の光信号を、該ｍ個の周波数発振器からの該周波数信号に応じて抽出する波長選択光フィルタとして構成されていることを特徴とする、請求項１記載の光波長選択制御装置。
【請求項３】
該波長選択部が、該波長多重光信号から任意のｍ波長の光信号を該ｍ個の周波数発振器からの該周波数信号に応じて抽出する波長選択光フィルタを複数そなえるとともに、
該波長選択光フィルタが、相互に接続されて多段構成化されていることを特徴とする、請求項１記載の光波長選択制御装置。
【請求項４】
該波長選択光フィルタが、音響光学チューナブルフィルタにより構成されていることを特徴とする、請求項２又は請求項３に記載の光波長選択制御装置。
【請求項５】
該制御部が、該波長選択部の温度変化に応じて該周波数発振器を制御して該周波数信号の周波数を調整しうるように構成されていることを特徴とする、請求項１記載の光波長選択制御装置。
【請求項６】
該制御部が、該波長選択部の温度が所定の温度となるように該波長選択部の温度制御を行なうように構成されていることを特徴とする、請求項１記載の光波長選択制御装置。
【請求項７】
該停止部が、該制御部からのオフ制御により、該周波数発振器からの該周波数信号の出力を停止しうるスイッチとして構成されていることを特徴とする、請求項１記載の光波長選択制御装置。
【請求項８】
該停止部が、該周波数発振器からの該周波数信号の増幅率を該制御部によって調整されることにより該周波数信号の出力を停止しうる増幅器として構成されていることを特徴とする、請求項１記載の光波長選択制御装置。
【請求項９】
Ｎ（Ｎは２以上の自然数）波長の光信号が波長多重された波長多重光信号から任意のｍ（ｍは１＜ｍ≦Ｎを満足する自然数）波長の光信号を波長選択用の周波数信号に応じて抽出する波長選択部と、
該波長選択部において抽出すべき光信号の波長に対応した周波数をもった信号を該波長選択用の周波数信号として出力するＮ個の周波数発振器と、
該周波数発振器からの該周波数信号の出力をそれぞれ停止しうるＮ個の停止部と、
該波長選択部において選択すべき光信号の波長を変更する際、変更後の波長に対応する周波数信号の出力を透過させるように該当する停止部を制御する一方、変更後の波長に対応する周波数信号以外の周波数信号の出力を停止させるように該当する停止部を制御する制御部とをそなえて構成されていることを特徴とする、光波長選択制御装置。
【請求項１０】
該波長選択部が、該波長多重光信号から任意のＮ波長の光信号を、該Ｎ個の周波数発振器からの該周波数信号に応じて抽出する波長選択光フィルタとして構成されていることを特徴とする、請求項９記載の光波長選択制御装置。
【請求項１１】
該波長選択部が、該波長多重光信号から任意のｍ波長の光信号を該Ｎ個の周波数発振器のうちのｍ個の周波数発振器からの該周波数信号に応じて抽出する波長選択光フィルタを複数そなえるとともに、
該波長選択光フィルタが、相互に接続されて多段構成化されていることを特徴とする、請求項９記載の光波長選択制御装置。
【請求項１２】
該波長選択光フィルタが、音響光学チューナブルフィルタにより構成されていることを特徴とする、請求項１０又は請求項１１に記載の光波長選択制御装置。
【請求項１３】
該制御部が、該波長選択部の温度変化に応じて該周波数発振器を制御して該周波数信号の周波数を調整しうるように構成されていることを特徴とする、請求項９記載の光波長選択制御装置。
【請求項１４】
該制御部が、該波長選択部の温度が所定の温度となるように該波長選択光フィルタの温度制御を行なうように構成されていることを特徴とする、請求項９記載の光波長選択制御装置。
【請求項１５】
該停止部が、該制御部からのオフ制御により該周波数発振器からの該周波数信号の出力を停止しうるスイッチとして構成されていることを特徴とする、請求項９記載の光波長選択制御装置。
【請求項１６】
該停止部が、該周波数発振器からの該周波数信号の増幅率を該制御部によって調整されることにより該周波数信号の出力を停止しうる増幅器として構成されていることを特徴とする、請求項９記載の光波長選択制御装置。
【発明の詳細な説明】
【技術分野】
【０００１】
本発明は、波長多重された光信号から任意の光信号を選択して光伝送を行なう光波長選択制御装置に関する。
【背景技術】
【０００２】
周知のように、光ファイバの帯域特性を活かした波長多重（ＷＤＭ；Wavelength Division Multiplexing）伝送方式は、伝送容量を拡大させたり、信号の分岐／挿入の容易さから柔軟性を向上させた光ネットワークを構築できる伝送方式として期待されている。
具体的に、このＷＤＭ伝送方式は、複数の異なる波長をもった光信号を波長多重して一本の光ファイバで伝送するので、同じ伝送速度の信号を多重化するなら、一本の光ファイバに一種類の波長の光信号を高速に変調して送信する伝送方式に比べ、波長多重数分だけ情報量を多く送信することができる。また、低速の光信号でも、波長多重することにより、高速の一波長の光信号を伝送する伝送方式と同じ伝送容量を得ることができる。
【０００３】
ところで、上記のＷＤＭ伝送方式において、伝送される光信号の波長間隔は、隣接する波長の光信号の影響を受けない程度に離れている必要があるが、現在の光増幅器には、帯域が十数ナノメートル以上のものがあるので、上記の波長間隔を１ナノメートル前後にまで狭めたＷＤＭ伝送システムの実現も可能であり、実システムとして導入されつつある。
さらに、最近では、このようなＷＤＭ伝送システムに基づいた光ネットワークの研究も盛んに行なわれている。その一例としては、例えば、ＷＤＭ信号を或るポイントから或るポイントへ送信するだけでなく、伝送路の途中に設けられたノードと呼ばれる中継点において、多重化された光信号のうちのある特定な波長の光信号だけを選択的に透過する一方、それ以外の波長の信号をそのノードで受信したり、そのノードから別の信号の光を挿入して別のノードへ送信したりすることのできる、ＡＤＭ（Add- Drop Multiplex）機能をもったネットワークがある。このＡＤＭ機能は、信号を光の状態のままで自由に分岐／挿入できることが特徴で、ＷＤＭ伝送技術に特有の技術である。
【０００４】
ここで、上述のようなＷＤＭ伝送システムに重要なデバイスとして、波長選択光フィルタ（以下、単に光フィルタということがある）がある。例えば、ＷＤＭ伝送システムの受信側では、波長多重光信号（ＷＤＭ信号）を波長毎に分離して受信を行なうため、この光フィルタが使用される。この場合の波長選択光フィルタは、伝送されてくる光信号以外の不要な信号（他信号）を除去するとともに、伝送路に設置される光アンプにより発生するノイズを除去する意味でも用いられる。このため、通常、この光フィルタには、他信号やノイズをできるだけ抑圧すべく、波長毎の透過帯域をできるだけ狭帯域にすることが要求されるほか、任意の波長の信号を選択できるように、選択波長が可変であることも要求される。
【０００５】
さらに、このような波長選択光フィルタは、例えば、光ネットワークにおける光ＡＤＭノードや光クロスコネクト装置（図示略）等にも用いられる。光ＡＤＭノードでは、任意の波長の光信号を送信（挿入）し、任意の波長の光信号を受信（分岐）する機能が必要であるため、挿入側，分岐側ともに、この光フィルタが用いられ、それぞれ、選択波長が可変であることが要求される。
【０００６】
一方、光クロスコネクト装置では、光信号の波長変換を行なう部分にこの光フィルタが使用される。即ち、電気信号を任意の波長の光で送信するために、伝送可能な状態であるＮ波多重されたＣＷ（Continuous Wave）光から所望の波長の光だけをこの光フィルタで選択し、伝送信号を印加するのである。
このような波長選択光フィルタとしては、例えば、音響光学効果を利用した光フィルタ（ＡＯＴＦ；Acousto-Optical Tunable Filter）がある。
【０００７】
図１４はこのＡＯＴＦの構成を示すブロック図で、この図１４に示すＡＯＴＦ５０は、光入力ポート５０ａ，光導波路５０１，偏波分離部（ＰＢＳ；Polarization Beam Sprit）５０２，５０７，ＳＡＷ吸収体５０３，５０６，くし形電極（ＩＤＴ）５０４，ＳＡＷクラッド部（Ｔｉ−ｄｅｅｐ拡散部）５０５，光出力ポート５０ｂ，５０ｃをそなえて構成されており、光導波路５０１を伝搬する光信号とＳＡＷクラッド部５０５を伝搬する表面弾性波とが干渉して一部の波長の光のみが偏光変換を受け、この偏光変換された光のみをスプリッタ（ＰＢＳ５０７）で分離することで、波長の一部を取り出す（選択する）ことができるようになっている。
【０００８】
具体的には、ＩＤＴ５０４（電極対数Ｎ，開口長Ｗ）に取り出すべき波長の光に対応するＲＦ信号を与えることにより、取り出すべき波長の光にのみ偏光変換を与える表面弾性波（ＳＡＷ；Surface Acoustic Wave ）を発生させてＳＡＷクラッド部５０５を伝搬させる。なお、このとき、ＩＤＴ５０４からＳＡＷクラッド部５０５の両側に向けてマイクロ波が発生してＰＢＳ５０２，５０７での偏波分離処理に影響を与える可能性があるが、このマイクロ波はＳＡＷ吸収体５０３，５０６によって吸収されている。
【０００９】
そして、この状態において、光信号が入力ポート５０ａから入力されてくると、この光信号はＰＢＳ５０２において偏波分離されて、ＴＥモードの光信号とＴＭモードの光信号としてそれぞれ光導波路５０１ａ，５０１ｂを伝搬する。
すると、これらの各信号は、ＳＡＷクラッド部５０５を伝搬している上記の表面弾性波の干渉を受けることにより、取り出したい波長の光信号のみが偏波変換（ＴＥ−ＴＭモード変換）される。そして、このように偏波変換された光信号は、ＰＢＳ５０７において偏波分離されることにより、取り出したい波長の光信号（選択光信号）のみが一方の光出力ポート５０ｃから出力される。なお、選択されなかった光信号は、他方の光出力ポート５０ｂから出力される。
【００１０】
ここで、このＡＯＴＦ５０による波長選択処理において、ＡＯＴＦ５０（デバイス）の温度が一定の状態であれば、上記表面弾性波の周波数と選択光信号の周波数との関係は１：１になる。従って、ＡＯＴＦ５０は、一定の温度条件下において、ＩＤＴ５０４に供給するＲＦ信号の周波数を変化させれば選択光波長が変化する。これにより、選択波長可変の光フィルタがＡＯＴＦ５０によって実現される。
【００１１】
なお、このＡＯＴＦ５０は、それぞれ周波数の異なる複数のＲＦ信号を混合してＩＤＴ５０４に供給すると、各ＲＦ信号の周波数に対応して複数の光波長を一度に選択することもできる。即ち、このＡＯＴＦ５０は、１波だけではなく、任意の波長の光信号を複数同時に選択するＡＤＭ（多波長選択光）フィルタとして使用する場合にも非常に有効なのである。
【００１２】
以下、このＡＯＴＦ５０が適用される実際のシステムについて説明する。
図１２はＷＤＭ伝送システムの構成例を示すブロック図である。この図１２に示すＷＤＭ伝送システム６００Ａでは、送信系６１′において、光源（ＬＤ）６１０−１〜６１０−ｎで生成されるそれぞれ異なる波長の光信号のサイドバンド等の不要成分がバンドパスフィルタ（ＢＰＦ）６１３′−１〜６１３′−ｎ（ｎは自然数）で除去される。そして、各光信号は、それぞれ、変調器（ＭＯＤ）６１ｃ−１〜６１ｃ−ｎで変調され、合波器６１ｄにおいて多重合波されたのち受信系６２′へ送信される。なお、上述のＢＰＦ６１３′−１〜６１３′−ｎは、光源６１０−１〜６１０−ｎにおいて波長変動が生じた場合の他チャンネルへの影響を除去する役目も果たしている。
【００１３】
一方、受信系６２′では、送信系６１′からの光信号を分波器６２ｄにて分波したのち、上記ＡＯＴＦ５０と同様の構成を有するＡＯＴＦ６２ａ−１〜６２ａ−ｎにおいてそれぞれ一波の光信号を選択して、所望の波長の光信号を受信部６２ｂ−１〜６２ｂ−ｎにおいて受信する。
ところで、このＷＤＭ伝送システム６００Ａは、この図１２に示すように、送信系６１′，受信系６２′ともに、或る波長に対応する送信機能，受信機能の障害時にそれぞれ予備として機能する、送信光源冗長部６４及び受信部冗長部６５を有している。
【００１４】
具体的に、送信光源冗長部６４は、出力光波長可変型のチューナブル光源（Ｔ−ＬＤ）６１０Ａ，上記のＡＯＴＦ５０と同様のＡＯＴＦ６１３Ａ，変調部（ＭＯＤ）６１ｃ′をそなえて構成されており、ＬＤ６１０−１〜６１０−ｎ，ＢＰＦ６１３′−１〜６１３′−ｎ，ＭＯＤ６１ｃ−１〜６１ｃ−ｎの組からなる各波長毎の送信機能のいずれかに障害が発生した場合に、チューナブル光源６１０Ａの出力波長，ＡＯＴＦ６１３Ａの選択波長がそれぞれ障害の生じた波長に切り替えられることで、障害部分に替わって機能するようになっている。
【００１５】
一方、受信部冗長部６５は、上記のＡＯＴＦ５０と同様のＡＯＴＦ６２Ａ，上記の受信部６２ｂ−１〜６２ｂ−ｎと同様の受信部６２Ｂをそなえて構成されており、上記の送信光源冗長部６４と同様に、ＡＯＴＦ６２ａ−１〜６２ａ−ｎ，受信器６２ｂ−１〜６２ｂ−ｎの組からなる各波長毎の受信機能のいずれかに障害が発生した場合に、ＡＯＴＦ６２Ａの選択波長が障害の発生した波長に切り替えられることで、障害部分に代わって機能するようになっている。
【００１６】
このように、上記のＷＤＭ伝送システム６００Ａでは、送信系６１′，受信系６２′に、それぞれ、選択波長変更可能なＡＯＴＦを用いた予備系を設けることにより、システム全体の信頼性を向上させることができる。
次に、図１３は光ＡＤＭノードの構成例を示すブロック図で、この図１３に示す光ＡＤＭノード６００は、光ＡＤＭ部６０，送信系６１，受信系６２及び光増幅器６３をそなえて構成されている。
【００１７】
ここで、光ＡＤＭ部６０は、伝送されてくる光信号に対する分岐／挿入処理を施すもので、光信号の分岐のための波長選択光フィルタとして上記のＡＯＴＦ５０と同様のＡＯＴＦ６０ａをそなえて構成されている。但し、このＡＯＴＦ６０ａは、波長選択用のＲＦ信号（ｆ1 ，ｆ2 ，．．．，ｆx ；ｘ≦ｎ）の周波数に応じて複数波長の光信号を選択（多波長選択）できるようになっている。
【００１８】
また、送信系６１は、送信可能なＮ波（Ｎは自然数）のうち任意の波長の光信号を光ＡＤＭ部６０への入力光信号に挿入すべく光ＡＤＭ部６０に送信するもので、例えば、波長多重信号分配光源６１ａ，ゲートスイッチ６１ｂ−１〜６１ｂ−ｎ（ｎは自然数），変調器（ＭＯＤ）６１ｃ−１〜６１ｃ−ｎ，合波器６１ｄ，光増幅器６１ｅをそなえて構成されている。
【００１９】
ここで、波長多重信号分配光源６１ａは、光ＡＤＭ部６０において入力光信号に挿入すべき波長の光信号を生成・出力するもので、このために、本波長多重信号分配光源６１ａには、異なる波長λ1〜λnの光（信号）を出力する光源（ＬＤ）６１０−１〜６１０−ｎと、ＬＤ６１０−１〜６１０−ｎから出力される各波長λ1〜λnの光を合波する合波器６１１と、合波器６１１において合波された光信号をλ1〜λnのｎ波長に分波する分波器６１２と、分波器６１２において分波された光出力のうちの対応する波長（λ1〜λn）の光のみを通過させるＡＯＴＦ６１３−１〜６１３−ｎと、波長安定化回路６１４とが設けられている。なお、上記ＡＯＴＦ６１３−１〜６１３−ｎも、それぞれ、上記のＡＯＴＦ５０と同様のもので、ここでは、１波選択用の光フィルタとして用いられている。
【００２０】
即ち、この送信系６１は、ＡＯＴＦ６１３−１〜６１３−ｎを用いることにより、送信可能なＮ波のうち任意の波長の光信号を任意の数だけ選択して送信することができるのである。
なお、波長安定化回路６１４は、上述の分波器６１２にて分波された光出力をモニタして、ＬＤ６１０−１〜６１０−ｎから出力される光波長の微小なズレ等を調整することにより、送信光信号の波長λ1〜λnを安定させるためのものである。
【００２１】
次に、ゲートスイッチ６１ｂ−１〜６１ｂ−ｎは、図１３に示すように、各々直列（相互）に接続された複数のＡＯＴＦ６１３−１〜６１３−ｎにおいて分岐され後述する受信部６２ｂ−１〜６２ｂ−ｘ（ｘ≦ｎ）で受信されることにより、空き状態となる波長λ1〜λnの光信号を光ＡＤＭ部６０で新たに挿入するか否かによって切り替えられるものであり、変調器６１ｃ−１〜６１ｃ−ｎは、ゲートスイッチ６１ｂ−１〜６１ｂ−ｎを通過してきた光信号を変調するものである。また、合波器６１ｄは、変調器６１ｃ−１〜６１ｃ−ｎにおいて変調された光信号を合波するものであり、光増幅器６１ｅはこの合波器６１ｄで合波された光信号を増幅するものである。
【００２２】
一方、図１３に示す受信系６２は、光ＡＤＭ部６０によって選択（分岐）された光信号を受信するもので、ＡＯＴＦ６２ａ−１〜６２ａ−ｘ（ｘ≦ｎ），受信部６２ｂ−１〜６２ｂ−ｘを有している。なお、ここで用いられるＡＯＴＦ６２ａ−１〜６２ａ−ｘも、それぞれ、上記のＡＯＴＦ５０と同様のものであるが、この場合は、１種類の周波数のＲＦ信号を与えられることにより、一波長の光信号を選択する光フィルタとして用いられている。
【００２３】
ここで、受信部６２ｂ−１〜６２ｂ−ｘは、ＡＯＴＦ６２ａ−１〜６２ａ−ｘにおいて分岐される所定波長（λ1〜λx）の光信号をそれぞれ受信するものである。
例えば、光ＡＤＭ部６０に波長λ1〜λ8のＷＤＭ光信号が入力され、ＡＯＴＦ６０ａにおいて波長λ1〜λ4のＷＤＭ光信号が選択される場合、受信系６２では、その選択された波長λ1〜λ4のＷＤＭ光信号を、それぞれ、４つのＡＯＴＦ６２ａ−１〜６２ａ−４により波長選択され、波長毎に分離して受信することになる。
【００２４】
即ち、ＡＯＴＦ６２ａ−１では波長λ1〜λ4のＷＤＭ光信号から周波数ｆ1のＲＦ信号に対応する波長λ1の光信号のみが選択され、この選択光信号が受信部６２ｂ−１において受信される。ＡＯＴＦ６２ａ−２ではＡＯＴＦ６２ａ−１で選択されなかった波長λ2〜λ4のＷＤＭ光信号から周波数ｆ2のＲＦ信号に対応する波長λ2の光信号が選択され、この選択光信号が受信部６２ｂ−２において受信される。他のＡＯＴＦ６２ａ−３，６２ａ−４においても周波数ｆ3，ｆ4のＲＦ信号に対応する波長λ3，λ4の光信号が選択され、各選択光信号が受信部６２ｂ−３，６２ｂ−４で受信される。
【００２５】
なお、図１３に示す光増幅器６３は、光ＡＤＭ部６０において選択されなかった光信号（即ち、次のシステムへ伝送する光信号）を所定の伝送距離だけ伝送できるよう増幅するものである。
このように、上述の光ＡＤＭノード６００では、伝送されてくる複数波長の光信号（ＷＤＭ信号）のうち、光ＡＤＭ部６０にて任意の波長の光信号を分岐して受信したり、任意の空き波長の光信号を挿入して送信したりすることができる。
【発明の開示】
【発明が解決しようとする課題】
【００２６】
ところで、上述の受信系６２，６２′（図１３，図１２参照）では、例えば、ＡＯＴＦ６２ａ−１において、最初に波長λ1の光信号を分岐（選択）し、その後、波長λ5の光信号を分岐するよう切り替える場合、ＡＯＴＦ６２ａ−１に供給するＲＦ信号の周波数は波長λ1に対応する値（ｆ1）から波長λ5に対応する値（ｆ5）に切り替えられる。
ところが、このとき、ＲＦ信号の周波数は、ｆ1からｆ5に連続的に変わるため、ＡＯＴＦ６２ａ−１において選択される波長もこの周波数の変化に伴い連続的に変化することになる。このため、受信部６２ｂ−１では、本来受信すべき波長λ5の光信号を受信するまでに、波長λ2，λ3，λ4等の波長λ5以外の光信号が受信されてしまう。従って、システムを運用しながら受信信号の波長を切り替えることは非常に不適切である。
【００２７】
特に、上記の光ＡＤＭノード６００や光クロスコネクト装置の場合には、上記のような波長選択処理後に、複数の波長の光信号を合波して伝送するため、上述したように、波長λ1から波長λ5に選択波長を切り替えたとき、他の波長λ2〜λ4の光信号が瞬時でも透過してしまうと、選択対象の波長以外の他の光信号と同じ波長の光信号が漏れだすことになってしまい、コヒーレントクロストークとして他の波長の光信号に影響を与え、伝送特性が劣化することになるのである。
【００２８】
そこで、上述の課題を解決するために、特開平７−１９９２５２号公報に示されるような技術が提案されている。
図１５はこの技術を説明するための光波長選択制御装置の一例を示すブロック図で、この図１５に示す光波長選択制御装置１００は、ＡＯＴＦ５０，ＲＦ発振器５１，制御部５２をそなえて構成されている。
【００２９】
ここで、ＡＯＴＦ５０は、図１４により前述したものと同様のものであり、ＲＦ発振器５１は、上述のＡＯＴＦ５０に選択すべき光信号の波長に対応する周波数をもったＲＦ信号を出力するもので、この技術では、制御部５２からの制御信号（周波数制御信号，振幅制御信号）に応じて、出力ＲＦ信号の周波数，振幅が制御されるようになっている。
そして、制御部５２は、このようにＲＦ発振器５１において発振するＲＦ信号の周波数，振幅を制御するもので、選択される波長の光信号を変更する際には、振幅制御信号を出力し、ＲＦ発振器５１におけるＲＦ信号の振幅をゼロあるいは充分小さく抑えた上で、周波数制御信号を出力して所定の周波数に切り替えたのち、上記振幅制御信号の出力を停止することにより、上述の振幅を回復させるようになっている。
【００３０】
なお、このように、ＲＦ信号の周波数の変更中に他波長の光信号が選択されないようにするには、図１５に破線で示すように、上述のＲＦ発振器５１の出力側にスイッチ（ＳＷ）５３を設けてＲＦ発振器５１から出力されるＲＦ信号を他のＲＦ信号に変更する際に、制御部５２によりスイッチ５３をＯＦＦ状態に制御することでも実現できる。
このような構成により、上述の光波長選択制御装置１００では、ＡＯＴＦ５０で選択すべき波長を切り替えるときには、ＡＯＴＦ５０に供給するＲＦ信号の振幅を充分に小さくし、この状態で、次に選択すべき波長に対応する周波数にＲＦ発振器５１の発振周波数を変更する。つまり、この光波長選択制御装置１００は、ＡＯＴＦ５０へのＲＦ信号の周波数が変更中である場合には、ＡＯＴＦ５０で非選択対象の他信号が選択されないようにＲＦ信号の振幅を制御するのである。
【００３１】
しかしながら、上記のように、ＡＯＴＦ５０に供給するＲＦ信号の振幅をゼロあるいは充分小さく抑えた場合やスイッチ５３を用いてＲＦ信号の出力を停止した場合でも、ＡＯＴＦ５０の消光比が充分でない場合には、他信号を透過させてしまう可能性がある。例えば、ＷＤＭ伝送では、ＡＯＴＦ５０の消光比として２０〜２５ｄＢ程度必要であるが、現状では、２０ｄＢを満足していないのが実情であるため、このような現象が生じる可能性が高い。
【００３２】
また、ＡＯＴＦ５０を光ネットワークに用いる場合には、上述の消光比が充分でないとコヒーレントクロストークとして伝送特性に影響を与え、伝送特性を劣化させるため、この影響を抑圧するためには、少なくとも４５ｄＢ程度の消光比が要求されている。
本発明は、以上のような課題に鑑み創案されたもので、波長選択光フィルタを多段構成にすることにより、任意の波長の光信号を高精度に選択（抽出）して波長選択処理の消光比を大幅に向上できるようにするとともに、選択すべき複数の波長の光信号を他の光信号に切り替える際、非選択対象の波長の光信号に影響を与えないようにした、光波長選択制御装置を提供することを目的とする。
【課題を解決するための手段】
【００３３】
このため、本発明の一態様に係る光波長選択制御装置は、Ｎ（Ｎは２以上の自然数）波長の光信号が波長多重された波長多重光信号から最大でｍ（ｍは１＜ｍ＜Ｎを満足する自然数）波長の光信号を波長選択用の周波数信号に応じて抽出する波長選択部と、該波長選択部において抽出すべき光信号の波長に対応した周波数をもった信号を該波長選択用の周波数信号として出力するｍ個の周波数発振器と、該周波数発振器から出力される該周波数信号の周波数をそれぞれ制御しうる制御部と、該周波数発振器からの該周波数信号の出力をそれぞれ停止しうるｍ個の停止部とをそなえるとともに、該制御部が、該周波数発振器から出力される該周波数信号の周波数を変更している間、当該周波数信号の出力を停止させるように該停止部を制御することを特徴としている。
【００３４】
また、上記波長選択部は、該波長多重光信号から任意のｍ波長の光信号を、該ｍ個の周波数発振器からの該周波数信号に応じて抽出する波長選択光フィルタとして構成されてもよい。
さらに、上記波長選択部は、該波長多重光信号から任意のｍ波長の光信号を該ｍ個の周波数発振器からの該周波数信号に応じて抽出する波長選択光フィルタを複数そなえるとともに、該波長選択光フィルタが、相互に接続されて多段構成化されてもよい。
【００３５】
また、上記波長選択光フィルタが、音響光学チューナブルフィルタにより構成されていてもよい。
さらに、上記制御部は、該波長選択部の温度変化に応じて該周波数発振器を制御して該周波数信号の周波数を調整しうるように構成されてもよく、該波長選択部の温度が所定の温度となるように該波長選択部の温度制御を行なうように構成されてもよい。
【００３６】
また、上記停止部は、該制御部からのオフ制御により、該周波数発振器からの該周波数信号の出力を停止しうるスイッチとして構成されてもよく、該周波数発振器からの該周波数信号の増幅率を該制御部によって調整されることにより該周波数信号の出力を停止しうる増幅器として構成されてもよい。
また、本発明の他の態様に係る光波長選択制御装置は、Ｎ（Ｎは２以上の自然数）波長の光信号が波長多重された波長多重光信号から任意のｍ（ｍは１＜ｍ≦Ｎを満足する自然数）波長の光信号を波長選択用の周波数信号に応じて抽出する波長選択部と、該波長選択部において抽出すべき光信号の波長に対応した周波数をもった信号を該波長選択用の周波数信号として出力するＮ個の周波数発振器と、該周波数発振器からの該周波数信号の出力をそれぞれ停止しうるＮ個の停止部と、該波長選択部において選択すべき光信号の波長を変更する際、変更後の波長に対応する周波数信号の出力を透過させるように該当する停止部を制御する一方、変更後の波長に対応する周波数信号以外の周波数信号の出力を停止させるように該当する停止部を制御する制御部とをそなえて構成されていることを特徴としている。
【００３７】
また、上記波長選択部は、該波長多重光信号から任意のＮ波長の光信号を、該Ｎ個の周波数発振器からの該周波数信号に応じて抽出する波長選択光フィルタとして構成されてもよく、該波長多重光信号から任意のｍ波長の光信号を該Ｎ個の周波数発振器のうちのｍ個の周波数発振器からの該周波数信号に応じて抽出する波長選択光フィルタを複数そなえるとともに、該波長選択光フィルタが、相互に接続されて多段構成化されていてもよい。
【００３８】
さらに、上記波長選択光フィルタが、音響光学チューナブルフィルタにより構成されていてもよい。
また、上記制御部は、該波長選択部の温度変化に応じて該周波数発振器を制御して該周波数信号の周波数を調整しうるように構成されてもよく、該波長選択部の温度が所定の温度となるように該波長選択光フィルタの温度制御を行なうように構成されてもよい。
【００３９】
さらに、上記停止部が、該制御部からのオフ制御により該周波数発振器からの該周波数信号の出力を停止しうるスイッチとして構成されてもよく、該周波数発振器からの該周波数信号の増幅率を該制御部によって調整されることにより該周波数信号の出力を停止しうる増幅器として構成されてもよい。
また、本発明に関連する技術である光波長選択制御装置は、複数波長の光信号が波長多重された波長多重光信号から任意の波長の光信号を波長選択用の周波数信号に応じて抽出する波長選択光フィルタを複数そなえ、これらの波長選択光フィルタが相互に接続されて多段構成化されるとともに、これらの波長選択光フィルタにおいて抽出すべき光信号の波長に対応した周波数をもった信号を波長選択用の周波数信号として出力する周波数発振器をそなえて構成されたことを特徴としている。
【００４０】
また、本発明に関連する技術である光波長選択制御装置は、上記の構成において、上記周波数発振器から出力される周波数信号の周波数を制御する制御部をそなえるとともに、上記周波数発振器からの周波数信号の出力を停止しうる第１停止部が上記の周波数発振器と波長選択光フィルタとの間に介装され、且つ、上述の制御部が、周波数発振器から出力される周波数信号の周波数を変更している間、上記周波数信号の出力を停止させるように上記第１停止部を制御することを特徴としている。
【００４１】
さらに、本発明に関連する技術である光波長選択制御装置は、上記の構成において、上記の複数の波長選択光フィルタがそれぞれ同一の温度特性を有し１つの共通モジュールとして構成されるとともに、上記の周波数発信部が上記の各波長選択光フィルタに対して共通の周波数発振器をそなえ、且つ、上記の制御部が、上記の共通モジュールの温度変化に応じて上記の周波数発振器を制御して周波数信号の周波数を調整しうるように構成されていることを特徴としている。
【００４２】
また、本発明に関連する技術である光波長選択制御装置は、上記の構成において、上記の複数の波長選択光フィルタがそれぞれ異なる温度特性を有し１つの共通モジュールとして構成されるとともに、上記の周波数発振器及び第１停止部がそれぞれ各波長選択光フィルタに対応して複数設けられ、且つ、上記の制御部が、上記の各第１停止部をそれぞれ制御するとともに、上記の共通モジュールの温度変化と各波長選択光フィルタの各温度特性とに応じて上記の各周波数発振器を制御して各周波数信号の周波数をそれぞれ調整しうるように構成されていることを特徴としている。
【００４３】
さらに、本発明に関連する技術である光波長選択制御装置は、上記の構成において、上記の複数の波長選択光フィルタがそれぞれ個別モジュールとして構成されるとともに、上記の周波数発振器及び第１停止部が各波長選択光フィルタに対応して複数設けられ、且つ、上記の制御部が、上記の各第１停止部をそれぞれ制御するとともに、上記の個別モジュールの各温度変化に応じて上記の各周波数発振器を制御して各周波数信号の周波数をそれぞれ調整しうるように構成されていることを特徴としている。
【００４４】
また、本発明に関連する技術である光波長選択制御装置は、上記の構成において、上記の複数の波長選択光フィルタがそれぞれ同一の温度特性を有し１つの共通モジュールとして構成されるとともに、上記の制御部が、上記共通モジュールの温度が所定の温度となるようにその共通モジュールの温度制御を行なうように構成されていることを特徴としている。
【００４５】
さらに、本発明に関連する技術である光波長選択制御装置は、上記の構成において、上記複数の波長選択光フィルタがそれぞれ異なる温度特性を有し１つの共通モジュールとして構成されるとともに、上記の周波数発振器及び第１停止部が各波長選択光フィルタに対応して複数設けられ、且つ、上記の制御部が、上記の各第１停止部をそれぞれ制御するとともに、上記共通モジュールの温度が所定の温度となるようにその共通モジュールの温度制御を行ない、且つ、上記の各波長選択光フィルタの各温度特性に応じて上記の各周波数発振器を制御して各周波数信号の周波数をそれぞれ調整しうるように構成されていることを特徴としている。
【００４６】
また、本発明に関連する技術である光波長選択制御装置は、上記の構成において、上記複数の波長選択光フィルタがそれぞれ異なる温度特性を有し個別モジュールとして構成されるとともに、上記の制御部が、各個別モジュールの温度がそれぞれ所定の温度となるように各個別モジュールの温度制御を行なうように構成されていることを特徴としている。
さらに、本発明に関連する技術である光波長選択制御装置は、上記の構成において、第１停止部が、周波数発振器からの周波数信号の出力を停止しうるスイッチとして構成されていることを特徴としている。
【００４７】
また、本発明の光波長選択制御装置は、上記の構成において、第１停止部が、周波数発振器からの周波数信号の増幅率を調整されることにより周波数信号の出力を停止しうる増幅器として構成されていることを特徴としている。
さらに、本発明に関連する技術である光波長選択制御装置は、上記の構成において、上記周波数発振器から出力される周波数信号の周波数を制御する制御部をそなえるとともに、上記の波長選択光フィルタの出力側に、波長選択光フィルタにおいて抽出された光信号の出力を停止しうる第２停止部が設けられ、且つ、上記の制御部が、周波数発振器から出力される周波数信号の周波数を変更している間、上記の波長選択光フィルタにおいて抽出された光信号の出力を停止させるようにこの第２停止部を制御することを特徴としている。
【００４８】
また、本発明に関連する技術である光波長選択制御装置は、上記の構成において、波長選択光フィルタが、それぞれ、音響光学チューナブルフィルタにより構成されていることを特徴としている。
【発明の効果】
【００４９】
本発明によれば、以下の少なくともいずれかの効果ないし利点が得られる。
Ｎ波長の波長多重光信号からｍ波長を選択している場合に選択波長を変更する際には、ｍ個の停止部によりｍ個の周波数発振器からの周波数信号の出力を停止させた上で、周波数変更対象となる周波数発振器の周波数を所望の値に変更するので、選択波長の変更時に、非選択対象の他の光信号が選択光信号として漏れ出すことがない。従って、この場合も極めて高精度に抽出すべき波長の光信号を抽出することができ、波長多重光伝送システムの性能向上に大いに寄与する。また、この場合は波長多重光信号の多重度（Ｎ）よりも少ない（ｍ個）の発振器で済むので、本装置の簡素化にも寄与している。
【００５０】
さらに、上記の波長選択部を、Ｎ波長多重された波長多重光信号から任意のｍ波長の光信号をｍ個の周波数発振器からの周波数信号に応じて抽出する波長選択光フィルタとして構成すれば、極めて簡素な構成で、ｍ波長選択機能を実現することができる。
なお、上記の波長選択部を、複数の波長選択光フィルタを相互に接続することにより多段構成化すれば、この場合も、同じ波長の光信号についての波長選択処理を複数回行なうことができるので、選択光信号の品質を大幅に向上させることができる。また、上記の波長選択光フィルタも、音響光学チューナブルフィルタにより構成すれば、極めて容易に、上述した波長抽出機能を実現することができる。
【００５１】
さらに、この場合も、上記の波長選択部の温度変化に応じて周波数発振器からの周波数信号の周波数を調整すれば、周波数発振器からは精度の高い周波数信号が出力されるので、波長選択部での波長選択処理の精度をさらに高めることができる。
また、上記の波長選択部の温度が所定の温度となるように温度制御を行なえば、波長選択部では、常に安定した温度条件下で波長選択処理を施すことができ、やはり、波長選択部での波長選択処理の精度をさらに高めることができる。
【００５２】
さらに、この場合も、上記の停止部を、周波数発振器からの周波数信号の出力を停止しうるスイッチ、もしくは、周波数発振器からの周波数信号の増幅率を調整されることにより周波数信号の出力を停止しうる増幅器として構成すれば、極めて簡素な構成で、上記の周波数変更中の波長選択フィルタへの周波数信号の出力停止機能を実現することができる。
【００５３】
また、本発明によれば、入力光信号の波長数と同数の周波数発振器を設け、波長選択部において抽出すべき波長に対応する周波数発振器以外の周波数発振器の周波数信号の出力を該当する停止部のオフ制御により停止するので、停止部を個別にオン／オフ制御するだけで波長選択部での選択波長を変更することができる。従って、抽出すべき波長の光信号の精度を向上させることができ、且つ、波長選択処理を迅速に行なうことができる。
【００５４】
さらに、上記の波長選択部を、波長多重光信号から任意のＮ波長の光信号をＮ個の周波数発振器からの周波数信号に応じて抽出する波長選択光フィルタとして構成すれば、極めて簡素な構成で、上記の波長選択機能を実現することができる。
また、上記の波長選択部を、波長多重光信号から任意のｍ波長の光信号を上記のＮ個の周波数発振器のうちのｍ個の周波数発振器からの周波数信号に応じて抽出する複数の波長選択光フィルタを相互に接続して多段構成化して構成すれば、この場合も、同じ波長の光信号についての波長選択処理を複数回行なうことができるので、選択光信号の品質を大幅に向上させることができる。
【００５５】
なお、上記の波長選択光フィルタも、音響光学チューナブルフィルタにより構成すれば、極めて容易に、上述した波長抽出機能を実現することができる。
さらに、この場合も、上記の波長選択部の温度変化に応じて周波数発振器からの周波数信号の周波数を調整すれば、周波数発振器からは精度の高い周波数信号が出力されるので、波長選択部での波長選択処理の精度をさらに高めることができる。
【００５６】
また、上記の波長選択部の温度が所定の温度となるように温度制御を行なえば、波長選択部では、常に安定した温度条件下で波長選択処理を施すことができ、やはり、波長選択部での波長選択処理の精度をさらに高めることができる。
さらに、この場合も、上記の停止部を、周波数発振器からの周波数信号の出力を停止しうるスイッチ、もしくは、周波数発振器からの周波数信号の増幅率を調整されることにより周波数信号の出力を停止しうる増幅器として構成すれば、極めて簡素な構成で、上記の周波数変更中の波長選択フィルタへの周波数信号の出力停止機能を実現することができる。
【００５７】
また、複数の波長選択光フィルタが相互に接続されて多段構成化されるとともに、各波長選択フィルタにそれぞれ選択波長に対応する周波数信号を供給しているので、同じ波長の光信号についての波長選択処理を複数回行なうことができ、これにより、選択光信号品質が大幅に向上する。
なお、周波数発振器の出力側に第１停止部を設け、制御部において、その周波数発振器から出力される周波数信号の周波数が変更されている間は、波長選択フィルタへの周波数信号の出力が停止されるので、周波数発振器の発振周波数が連続的に変更されても、抽出すべき波長以外の他の波長が選択されることを防ぐことができ、さらに波長選択処理の精度を向上させることができる。
【００５８】
さらに、制御部によって、波長選択光フィルタを有するモジュール（波長選択部）の温度変化に応じて周波数発振器からの周波数信号の周波数が調整されうるので、周波数発振器からは精度の高い周波数信号を出力することができ、これにより、波長選択光フィルタでの波長選択処理の精度をさらに高めることができる。
また、上記の制御部が、波長選択光フィルタを有するモジュール（波長選択部）の温度が所定の温度となるように波長選択光フィルタ（波長選択部）の温度制御を行なえば、波長選択光フィルタでは、常に安定した温度条件下で波長選択処理を施すことができ、やはり、波長選択光フィルタ（波長選択部）での波長選択処理の精度をさらに高めることができる。
【００５９】
さらに、上記の第１停止部を、周波数発振器からの周波数信号の出力を停止しうるスイッチ、もしくは、周波数発振器からの周波数信号の増幅率を調整されることにより周波数信号の出力を停止しうる増幅器として構成すれば、極めて簡素な構成で、上記の周波数変更中の波長選択フィルタへの周波数信号の出力停止機能を実現することができる。
さらに、本発明によれば、波長選択光フィルタの出力側に第２停止部を設け、制御部が周波数発振器から出力される周波数信号の周波数を変更している間は、波長選択フィルタで抽出された光信号の出力を停止することができるので、この場合も、非選択対象の他の波長の光信号の透過を確実に防ぐことができ、高精度に抽出すべき波長の光信号を抽出できる。
【００６０】
なお、上記の波長選択光フィルタを、音響光学チューナブルフィルタにより構成すれば、極めて容易に、上述した波長抽出機能を実現することができる。
【発明を実施するための最良の形態】
【００６１】
以下、図面を参照して本発明の実施の形態を説明する。
（ａ）第１実施形態の説明
図１は本発明に関連する技術の第１実施形態にかかる光波長選択制御装置の構成を示すブロック図で、この図１に示すように、光波長選択制御装置１０は、波長選択光フィルタ１−１，１−２，ＲＦ発振器２，制御部３，スイッチ４をそなえて構成されている。
【００６２】
ここで、波長選択光フィルタ１−１，１−２は、それぞれ、複数波長の光信号が波長多重された波長多重光信号から任意の波長の光信号を波長選択用のＲＦ信号（周波数信号）に応じて抽出するもので、本実施形態では、図１４により前述したものと同様の音響光学チューナブルフィルタ（ＡＯＴＦ；Acousto-OpticalTunable Filter）により構成されており、それぞれが、この図１に示すように、相互に接続されて多段構成化されている。ただし、ここでは、各ＡＯＴＦ１−１，１−２がそれぞれ同一の温度特性を有しており、１つのモジュール（共通モジュール）１として構成されている場合を考える。
【００６３】
なお、この光波長選択制御装置１０は、図１３１３にて前述した光ＡＤＭノード６００の送信系６１のＡＯＴＦ６１３−１〜６１３−ｎ部分や受信系６２のＡＯＴＦ６２ａ−１〜６２ａ−ｘ部分あるいは光ＡＤＭ部６０等にそれぞれ適用することができる。
また、ＲＦ（Radio Frequency）発振器（周波数発振器）２は、ＡＯＴＦ１−１，１−２において選択（抽出）すべき光信号の波長に対応した周波数をもった信号を波長選択用のＲＦ信号として各ＡＯＴＦ１−１，１−２に出力するもので、本実施形態では、制御部３によって生成（発振）するＲＦ信号の周波数が変更される発振周波数可変型のものが用いられている。
【００６４】
さらに、制御部３は、このＲＦ発振器２から出力されるＲＦ信号の周波数を制御するもので、ＡＯＴＦ１−１，１−２で抽出すべき波長の光信号についての情報（選択波長変更指示信号）に応じてＲＦ発振器２の発振周波数を制御するようになっている。
なお、この選択波長変更指示信号は、システム内の管理装置（図示略）から受信される。つまり、この制御部３は、前記の管理装置からの指示に応じてＲＦ発振器２の発振周波数を制御することにより、ＡＯＴＦ１−１，１−２での選択波長を適宜に変更できるようになっているのである。
【００６５】
また、この制御部３は、共通モジュール１の温度状態（変化）をモニタしてその温度変化に応じてＲＦ発振器２からのＲＦ信号の周波数（ＲＦ発振器２の発振周波数）の微調整を行なうことにより、ＡＯＴＦ１−１，１−２での波長選択処理の温度影響（選択波長にズレが生じて選択精度が劣化する等）を最小限に抑えることもできるようになっている。これにより、ＡＯＴＦ１−１，１−２では、精度の高い波長選択処理を行なうことができる。但し、この場合、デバイス（共通モジュール１）の温度と選択波長及びＲＦ信号の周波数との関係は予め明確化されて対応テーブル等として制御部３内に記憶されているものとする。
【００６６】
さらに、スイッチ（ＳＷ；第１停止部）４は、図１に示すように、ＡＯＴＦ１−１，１−２とＲＦ発振器２との間に介装されて、ＲＦ発振器２からのＲＦ信号の出力を停止しうるもので、ここでは、制御部３が上記の選択波長変更指示信号を受けることにより、ＲＦ発振器２の発振周波数を変更している間、制御部３によってオフ制御されて、ＲＦ発振器２からのＲＦ信号の出力を停止し、ＲＦ発振器２の周波数が変更先の周波数となった時点でオン制御されて、ＲＦ発振器２からのＲＦ信号をＡＯＴＦ１−１，１−２へ出力するようになっている。なお、このとき、制御部３は、ＲＦ発振器２の発振周波数をモニタしているものとする。従って、最適なタイミングでＲＦ発振器２からＲＦ信号を出力することができる。
【００６７】
つまり、本実施形態の制御部３は、ＲＦ発振器２の発振周波数を変更している間、ＲＦ発振器２からのＲＦ信号の出力を停止させるようにスイッチ４をオフ制御するのである。これにより、ＡＯＴＦ１−１，１−２では、ＲＦ発振器２の発振周波数が連続的に変更されても、選択すべき波長以外の他の波長を選択することがない。
なお、ＡＯＴＦ１−１，１−２とＲＦ発振器２との間には、上記停止部として、上述のスイッチ４の代わりに、図１に示すように、増幅器（ＡＭＰ）４′を介装して、制御部３がＲＦ信号の周波数を変更している間、この増幅器４′の増幅率（ゲイン）を制御部３が調整することによっても、ＲＦ信号の出力を停止状態にすることができる。
【００６８】
即ち、この場合は、制御部３が、ＲＦ信号のレベル（振幅）がＡＯＴＦ１−１，１−２での波長選択処理に影響を与えない範囲内となるように、増幅器４′の増幅率をできるだけ小さくすることにより、ＡＯＴＦ１−１，１−２側からみたときのＲＦ信号の出力を停止状態にするのである。
以下、上述の光波長選択制御装置１０による波長選択処理について、図２を用いて詳述する。
【００６９】
例えば、本実施形態の光波長選択制御装置１０において、波長λ1〜λ8のＷＤＭ信号のうち、波長λ1の光信号が選択される場合の動作について説明する。まず、ＡＯＴＦ１−１の光入力ポート１ｂから波長λ1〜λ8の光信号が入力されると、ＡＯＴＦ１−１では、ＲＦ発振器２から供給される周波数ｆ1のＲＦ信号に対応する波長λ1の光信号を選択し、この選択された波長λ1の光信号を光出力ポート１ｃから出力する。
【００７０】
すると、上記の光出力ポート１ｃから出力された波長λ1の光信号は、次段のＡＯＴＦ１−２の光入力ポート１ｂ′にて受信され、ＡＯＴＦ１−２において、ＡＯＴＦ１−１と同様に、ＲＦ発振器２から供給される周波数ｆ1のＲＦ信号に対応する波長λ1の光信号を選択する。
つまり、上述の光波長選択制御装置１０では、ＡＯＴＦ１−１，１−２を多段構成にすることにより、ＡＯＴＦ１−１において抽出された波長λ1の光信号を受けて、ＡＯＴＦ１−２においても同様に、同じ波長λ1の光信号を抽出することができるので、選択すべき波長の光信号の選択精度を向上させることができる。
【００７１】
ところで、このとき、制御部３では、共通モジュール１の温度状態をモニタしてその温度変化に応じてＲＦ発振器２からの発振周波数の微調整を行なっている。これにより、ＡＯＴＦ１−１，１−２における波長選択処理の温度影響が最小限に抑えられるので、ＡＯＴＦ１−１，１−２での波長選択精度がさらに向上している。
次に、この状態において、波長λ1の光信号から波長λ5の光信号に選択を切り替えるために、ＲＦ発振器２からの周波数ｆ1のＲＦ信号を周波数ｆ5のＲＦ信号に切り替える場合の動作について説明する。
【００７２】
まず、光波長選択制御装置１０では、前記の管理装置から選択波長変更指示信号を制御部３で受信すると（ステップａ１）、制御部３が、スイッチ４をオフ制御（もしくは増幅器４′のゲインを制御）し、ＲＦ信号の出力を停止させる（ステップａ２）。
そして、制御部３は、受信した上記波長選択指示信号に基づいて、変更すべき波長λ5の光信号に対応する周波数ｆ5を決定し（ステップａ３）、ＡＯＴＦ１−１，１−２へのＲＦ信号の周波数が決定した周波数ｆ5となるようにＲＦ発振器２の発振周波数を制御する（ステップａ４）。
【００７３】
このとき、制御部３は、上記共通モジュール１の温度状態をモニタし、そのモニタ結果に基づいてＡＯＴＦ１−１，１−２の基準温度時の発振周波数に対する補正（微調整）を行なった上で、ＲＦ発振器２の周波数を変更（掃引）し、周波数モニタ値がｆ5になったところでスイッチ４をオン状態に制御する（ステップａ５）。そして、所望のＲＦ信号がＡＯＴＦ１−１，１−２に出力される。
【００７４】
なお、上述のＡＯＴＦ１−１の光入力ポート１ａには、入力光信号のうち、欠けている波長に対応する波長の光信号や、上記ＡＯＴＦ１−１にて選択される波長に対応する波長の光信号を挿入している。そして、ＡＯＴＦ１−１において選択されなかった波長λ2〜λ8の光信号は光出力ポート１ｄから出力される。
このように、本発明の第１実施形態にかかる光波長選択制御装置１０によれば、複数のＡＯＴＦ１−１，１−２が相互に接続されて多段構成化されるとともに、各ＡＯＴＦ１−１，１−２にそれぞれＲＦ発振器２から選択波長に対応する周波数をもったＲＦ信号を供給しているので、同じ波長の光信号についての波長選択処理を複数回行なうことができ、選択光信号の品質が大幅に向上し、ＷＤＭ伝送システムに要求される消光比を充分に満足することができる。
【００７５】
特に、１本の光ファイバに８波長の光を多重伝送するＷＤＭ伝送システム（光ＡＤＭノードを含む）に要求される消光比（４５ｄＢ程度）を充分に満足することができ、ＷＤＭ伝送システムの性能向上に大いに寄与しうる。
なお、上述した実施形態では、ＲＦ発振器２の発振周波数変更中に制御部３がスイッチ４をオフ制御することで波長選択精度のさらなる向上を図っているが、ＡＯＴＦ１−１，１−２を多段構成にするだけでも（スイッチ制御しなくても）、波長選択処理の精度を向上させて所望の消光比を満足することができる。
【００７６】
また、上述の制御部３は、共通モジュール１の温度が所定の（上記波長選択処理に最適な）温度となるように、例えば、ペルチェ効果を利用して上記共通モジュール１の温度を直接的に制御するようにしてもよい。この場合も、ＡＯＴＦ１−１，１−２では常に安定した温度条件下で波長選択処理を施すことができるので、ＲＦ発振器２の発振周波数の微調整は必要ない。
【００７７】
（ｂ）第２実施形態の説明
図３は本発明の第２実施形態（上記の実施形態からの説明の流れ上、本発明に係るこの実施形態を第２実施形態と称する）にかかる光波長選択制御装置の構成を示すブロック図で、この図３に示す光波長選択制御装置１０Ａは、波長選択部１Ａ，ＲＦ発振器２ａ−１〜２ａ−ｍ（ｍは２以上の自然数），制御部３Ａ，スイッチ４ａ−１〜４ａ−ｍ，カプラ６Ａをそなえて構成されている。
【００７８】
具体的に、この光波長選択制御装置１０Ａは、多波長選択用のもので、図１３に示す光ＡＤＭノード６００の光ＡＤＭ部６０や、図１２に示すＷＤＭ伝送システム６００Ａの送信光源冗長部６４等に適用できる。例えば、図１２に示す送信光源冗長部６４においては、複数の波長用の送信機能に故障が生じた場合にもそれらの部分を同時にバックアップすることができる。
【００７９】
ここで、波長選択部１Ａは、Ｎ（Ｎは２以上の自然数）波長の光信号が波長多重された波長多重光信号から最大でｍ波長（ｍは１＜ｍ＜Ｎを満足する自然数）の光信号を波長選択用のＲＦ信号（周波数信号）に応じて抽出するもので、第１実施形態と同様に、波長選択光フィルタとしての音響光学チューナブルフィルタ（ＡＯＴＦ；図１０参照）により構成されている。
【００８０】
具体的に、このＡＯＴＦ１Ａは、選択すべき複数の波長に対応したＲＦ信号を任意のＲＦ発振器２ａ−１〜２ａ−ｍから供給されることにより、光入力ポート１ｆから入力されてくる光信号から複数の波長を有する光信号を選択することができるようになっている。なお、選択された波長の光信号は、光出力ポート１ｇから出力され、選択されなかった波長の光信号は、光出力ポート１ｈから出力されるようになっている。
【００８１】
また、ＲＦ発振器（周波数発振器）２ａ−１〜２ａ−ｍは、それぞれ、ＡＯＴＦ１Ａにおいて抽出すべき光信号の波長に対応した周波数をもった信号を波長選択用のＲＦ信号としてＡＯＴＦ１Ａに出力するもので、本実施形態でも制御部３Ａからの周波数制御信号に応じて、ＡＯＴＦ１Ａに供給するＲＦ信号の周波数が所望の値に制御されるようになっている。
【００８２】
なお、各ＲＦ発振器２ａ−１〜２ａ−ｍは、ここでは、入力されてくるＮ種類の波長よりも少ない数（ｍ個）だけ設けられており、各ＲＦ発振器２ａ−１〜２ａ−ｍからのＲＦ信号はカプラ６Ａで合波されてＡＯＴＦ１Ａに供給されるようになっている。
また、制御部３Ａは、ＲＦ発振器２ａ−１〜２ａ−ｍから出力されるＲＦ信号の周波数をそれぞれ制御するもので、抽出すべき波長の光信号を変更する情報（選択波長変更指示信号）をシステム全体を管理している管理装置（図示略）から受けると、その指示信号に応じて該当するＲＦ発振器２ａ−１〜２ａ−ｍの発振周波数を変更するようになっている。
【００８３】
なお、この制御部３Ａも、第１実施形態の制御部３と同様に、ＡＯＴＦ１Ａの温度状態をモニタすることにより、ＡＯＴＦ１Ａの温度変化に応じてＲＦ発振器２ａ−１〜２ａ−ｍの発振周波数の微調整を行なえるようになっている。
また、スイッチ（停止部）４ａ−１〜４ａ−ｍは、ＲＦ発振器２ａ−１〜２ａ−ｍからのＲＦ信号の出力を停止しうるもので、具体的には、制御部３Ａにおいて、ＲＦ発振器２ａ−１〜２ａ−ｍから出力されるＲＦ信号の周波数を変更している間、対応するスイッチ４ａ−１〜４ａ−ｍをオフ制御して、ＲＦ発振器２ａ−１〜２ａ−ｍからのＲＦ信号の出力を停止させるようになっている。
【００８４】
例えば、ＡＯＴＦ１Ａにおいて、波長λ1〜λ8のＷＤＭ信号から波長λ1〜λ4の光信号を抽出している状態から抽出すべき光信号の波長をλ1，λ2，λ5，λ6に変更する場合、制御部３Ａは、波長λ1〜λ4に対応する周波数ｆ1〜ｆ4を発振するようにＲＦ発振器２ａ−１〜２ａ−４を制御している状態から、上記の選択波長変更指示信号を受けることにより、波長λ1，λ2，λ5，λ6に対応する周波数ｆ1，ｆ2，ｆ5，ｆ6を出力するようにＲＦ発振器２ａ−１〜２ａ−４を制御する。
【００８５】
この場合、制御部３Ａは、スイッチ４ａ−３，４ａ−４を制御して、ＲＦ発振器２ａ−３，２ａ−４からの出力を停止させ、ＲＦ発振器２ａ−３，２ａ−４から出力される周波数をｆ3，ｆ4からｆ5，ｆ6に変更してからスイッチ４ａ−３，４ａ−４をオン制御するようになっている。
つまり、本実施形態では、ＷＤＭ信号の波長数に比べてＲＦ発振器２ａ−１〜２ａ−ｍの数が少なくて済むので、回路構成を簡素化することができる。
【００８６】
さらに、カプラ６Ａはスイッチ４ａ−１〜４ａ−ｍを介して入力されるＲＦ発振器２ａ−１〜２ａ−ｍからのＲＦ信号の周波数を合波してＡＯＴＦ１Ａに出力するものである。
以下、光波長選択制御装置１０Ａによる波長選択処理について、図４を用いて詳述する。なお、ここでは、例えば、４つのＲＦ発振器２ａ−１〜２ａ−４（発振周波数ｆ1〜ｆ4）により波長λ1〜λ8のＷＤＭ信号のうちの波長λ1〜λ4の光信号を抽出している状態から抽出すべき光信号の波長をλ1，λ2，λ5，λ6に変更する場合について詳述する。
【００８７】
まず、光波長選択制御装置１０Ａでは、ＲＦ発振器２ａ−１〜２ａ−４から周波数ｆ1〜ｆ4を発振することにより、ＡＯＴＦ１Ａにおいて波長λ1〜λ4の光信号を抽出している。なお、このとき、スイッチ４ａ−１〜４ａ−４は制御部３Ａによってオン制御されている。
この状態において、波長選択光フィルタ制御装置１０Ａは、選択波長変更指示信号を制御部３Ａで受信すると（ステップｂ１）、制御部３Ａが、変更すべき波長に対応する周波数（ｆ3，ｆ4）を出力しているＲＦ発振器２ａ−３，２ａ−４のスイッチ４ａ−３，４ａ−４をオフ制御し、ＲＦ信号（周波数ｆ3，ｆ4）の出力を停止させる（ステップｂ２）。
【００８８】
そして、制御部３は、受信した上記波長選択変更指示信号に基づいて変更すべき波長λ5，λ6の光信号に対応する周波数を決定し（ステップｂ３）、ＡＯＴＦ１ＡへのＲＦ信号の周波数が決定した周波数ｆ5，ｆ6となるように該当するＲＦ発振器２ａ−３，２ａ−４の発振周波数を制御する（ステップｂ４）。
このとき、制御部３Ａは、ＡＯＴＦ１Ａの温度状態をモニタし、そのモニタ結果に基づいてＡＯＴＦ１Ａの基準温度時の発振周波数に対する補正（微調整）を行なった上で、ＲＦ発振器２ａ−３，２ａ−４の周波数を変更（掃引）し、周波数モニタ値がｆ5，ｆ6になったところで該当するスイッチ４ａ−３，４ａ−４をオン状態に制御する（ステップｂ５）。そして、変更したＲＦ周波数ｆ5，ｆ6がＡＯＴＦ１Ａに出力される。
【００８９】
このように、本発明の第２実施形態にかかる光波長選択制御装置１０Ａによれば、選択波長を変更する際には、スイッチ４ａ−１〜４ａ−ｍによりＲＦ信号の出力を停止させた上で、変更の対象となるＲＦ発振器２ａ−１〜２ａ−ｍからのＲＦ信号の周波数を所望の値に変更するので、選択波長の変更時に、非選択対象の他の光信号が選択光信号として漏れだすことがない。従って、この場合も極めて高精度に選択すべき波長の光信号を抽出することができ、ＷＤＭ伝送システムの性能向上に大いに寄与する。
【００９０】
また、上述の光波長選択制御装置１０Ａによれば、ＷＤＭ信号の波長数に比べてＲＦ発振器２ａ−１〜２ａ−ｍの数が少なくて済むので、回路構成を簡略化することができる。
なお、ここでは、ＡＯＴＦ１Ａに出力されている周波数のうち、変更のあった周波数をＲＦ発振器２ａ−３，２ａ−４においてｆ3，ｆ4からｆ5，ｆ6に変更することについて詳述したが、例えば、本装置１０Ａに５個のＲＦ発振器２ａ−１〜２ａ−５が設けられ、上述と同様の変更指示（λ1〜λ4の選択からλ1，λ2，λ5，λ6の選択に変更）があった場合には、スイッチ４ａ−３，４ａ−４をオフ制御して上記ＲＦ発振器２ａ−３，２ａ−４の出力を停止したあと、ＲＦ発振器２ａ−３（または２ａ−４）から出力されていた周波数ｆ3（またはｆ4）を変更指示のあった周波数のうちの一方の周波数（ｆ5）に変更し、もう一方の周波数（ｆ6）をＲＦ発振器２ａ−５から出力するように切り替えてもよい。
【００９１】
この場合、周波数の変更時には、スイッチ４ａ−３，４ａ−４をオフ制御し、ＲＦ発振器２ａ−３，２ａ−４からの出力を停止させ、ＲＦ発振器２ａ−３（または２ａ−４）の周波数をｆ5に変更したのち、スイッチ４ａ−３（または４ａ−４）をオン制御して周波数ｆ5のＲＦ信号を出力するとともに、スイッチ４ａ−５をオン制御し、ＲＦ発振器２ａ−５から周波数ｆ6のＲＦ信号を出力する。
【００９２】
このように、変更指示のあった周波数と実際発振している周波数との関係及びＲＦ発振器２ａ−１〜２ａ−ｍの設置数に応じて、変更するＲＦ発振器２ａ−１〜２ａ−ｍを決定することもできる。なお、このＲＦ発振器２ａ−１〜２ａ−ｍにおいて、設置数のうちの一部しか波長選択処理に使用されない場合には、スイッチ４ａ−１〜４ａ−ｍのオン／オフ制御を限定することにより、波長選択処理に使用されている数（例えば、上述においては４個）のみ駆動するようにしてもよく、ｍ個全て（例えば、上述においては５個）を駆動するようにしてもよい。
【００９３】
また、本実施形態でも、制御部３Ａは、ペルチェ効果を利用して、ＡＯＴＦ１Ａの温度が所定の温度となるように、ＡＯＴＦ１Ａの温度を直接的に制御するようにしてもよい。
さらに、上述のスイッチ４ａ−１〜４ａ−ｍは、第１実施形態と同様に、それぞれ、増幅器４′（図１参照）に代えてもよい。この場合の作用・効果については、上述の第１実施形態と同様であるため、説明は省略する。
【００９４】
（ｃ）第３実施形態の説明
図５は本発明の第３実施形態（上記の実施形態からの説明の流れ上、本発明に係るこの実施形態を第３実施形態と称する）にかかる光波長選択制御装置の構成を示すブロック図で、この図５に示す光波長選択制御装置１０Ｂは、ＡＯＴＦにより構成された波長選択部１Ａ，ＲＦ発振器２ｂ−１〜２ｂ−ｎ（ｎは自然数），制御部３Ｂ，スイッチ４ｂ−１〜４ｂ−ｎ，カプラ６Ａをそなえて構成されている。なお、この光波長選択制御装置１０Ｂにおいても、上述の第２実施形態と同様に、ＷＤＭ伝送システム６００Ａ（図１２参照）や光ＡＤＭノード６００（図１３参照）等の適所に用いられる。
【００９５】
また、この図５に示す光波長選択制御装置１０Ｂは、上述の第２実施形態（図３）に示すものに比して、ＲＦ発振器２ｂ−１〜２ｂ−ｎ，スイッチ４ｂ−１〜４ｂ−ｎが入力波長の種類（Ｎ種類）と同数（ｎ＝Ｎ個）だけ設けられており、各ＲＦ発振器２ｂ−１〜２ｂ−ｎがそれぞれ、固定周波数（ｆ1〜ｆn）のＲＦ信号を出力するようになっている（制御部３による周波数の変更制御は行なわれない）点が異なる。
【００９６】
このため、本第３実施形態の制御部３Ｂは、ＡＯＴＦ１Ａにおいて選択すべき波長を変更する際、変更後の波長に対応するＲＦ信号の出力を透過させるように該当するスイッチ４ｂ−１〜４ｂ−ｎを制御する一方、変更後の波長に対応するＲＦ信号以外のＲＦ信号の出力を停止させるように該当するＲＦ発振器２ｂ−１〜２ｂ−ｎの出力側に設けられたスイッチ４ｂ−１〜４ｂ−ｎを制御（オフ制御）するようになっている。
【００９７】
つまり、上述の光波長選択制御装置１０Ｂは、予め選択する（あるいは非選択する）光信号数ｍ（ｍは１＜ｍ≦Ｎを満足する自然数）の最大値が決まっている場合には、その最大値だけのＲＦ発振器２ｂ−１〜２ｂ−ｎとスイッチ４ｂ−１〜４ｂ−ｎとを設けて、スイッチ４ｂ−１〜４ｂ−ｎのオン／オフを切り替えるだけで、ＡＯＴＦ１Ａにおいて任意のｍ波長の光信号を選択することができるのである。
【００９８】
なお、上述の制御部３Ｂも、上述した第１，第２実施形態における制御部３，３Ａと同様に、ＡＯＴＦ１Ａの温度状態をモニタして、ＡＯＴＦ１Ａの温度変化に応じてＲＦ発振器２ｂ−１〜２ｂ−ｎのＲＦ信号の発振周波数を微調整しうるようになっている（図５の点線Ａ参照）。
上述の構成により、図５に示す光波長選択制御装置１０Ｂは、上述の第２実施形態に示す光波長選択制御装置１０Ａとほぼ同様に動作する（図４参照）。
【００９９】
但し、本実施形態の光波長選択制御装置１０Ｂでは、選択波長を変更する際、図４に示すフローチャートのステップｂ４において、ＲＦ発振器２ｂ−１〜２ｂ−ｎの周波数を制御（掃引）する必要はなく、変更により選択対象となる波長に対応するスイッチ４ｂ−１〜４ｂ−ｎをオン制御する一方、非選択対象となる波長に対応するスイッチ４ｂ−１〜４ｂ−ｎをオフ制御するだけで、ＡＯＴＦ１Ａでの選択波長を変更することができる。
【０１００】
例えば、波長λ1〜λ8のＷＤＭ信号からλ1〜λ4の光信号を抽出している状態から抽出すべき光信号の波長をλ1，λ2，λ5，λ6に変更する場合、ＲＦ発振器２ｂ−１〜２ｂ−４から出力されている周波数ｆ1〜ｆ4は、選択波長変更指示信号により、スイッチ４ｂ−３，４ｂ−４がオフ制御され、変更後の周波数ｆ5，ｆ6を出力するためにスイッチ４ｂ−５，４ｂ−６をオン制御するのである。
【０１０１】
このように、本発明の第３実施形態にかかる光波長選択制御装置１０Ｂによれば、入力光信号の波長数（Ｎ）と同数のＲＦ発振器２ｂ−１〜２ｂ−ｎを設け、ＡＯＴＦ１Ａにおいて選択すべき波長に対応するＲＦ発振器２ｂ−１〜２ｂ−ｎ以外のＲＦ発振器２ｂ−１〜２ｂ−ｎのＲＦ信号の出力を該当するスイッチ４ｂ−１〜４ｂ−ｎのオフ制御により停止するので、スイッチ４ｂ−１〜４ｂ−ｎを個別にオン／オフ制御するだけで、ＡＯＴＦ１Ａでの選択波長を変更することができる。従って、波長選択処理の精度が大幅に向上し選択すべき波長の光信号の品質を向上させることができるとともに、波長選択処理自体を迅速に行なうことができる。
【０１０２】
また、本実施形態でも、上述の制御部３Ｂはペルチェ効果を利用してＡＯＴＦ１Ａの温度が所定の温度となるように、ＡＯＴＦ１Ａの温度を直接的に制御するようにしてもよい。さらに、スイッチ４ｂ−１〜４ｂ−ｎも同様に、増幅器として構成できる。
（ｄ）変形例の説明
次に、以下では、上述の各実施形態の変形例について説明する。
【０１０３】
（ｄ−１）第１実施形態の第１変形例の説明
上述の第１実施形態に示す光波長選択制御装置１０には、共通モジュール１（ＡＯＴＦ１−１，１−２）の出力側（後段）に、例えば、図１中に破線で示すように、光スイッチ５−２を設けてもよい。
ここで、この光スイッチ（第２停止部）５−２は、共通モジュール１（ＡＯＴＦ１−１，１−２）において抽出された光信号の出力を停止しうるもので、制御部３がＲＦ発振器２から出力されるＲＦ信号の周波数を変更している間、この制御部３によってオフ制御されて、ＡＯＴＦ１−１，１−２からの選択光信号の出力を停止するようになっている。
【０１０４】
つまり、この光スイッチ５−２は、ＲＦ発振器２のＲＦ信号の発振周波数（以下、ＲＦ周波数ということがある）が変更されている間には、ＡＯＴＦ１−１，１−２の選択出力ポートとしての光出力ポート１ｃ′から出力されるいずれの波長の光信号も透過しないようになっているのである。
従って、非選択対象の他の波長の光信号の透過をより確実に防ぐことができ、さらに、高精度に選択すべき波長の光信号を抽出できる。
【０１０５】
なお、この光スイッチ５−２は、共通モジュール１の前段に設けてもよい。また、後述するように各ＡＯＴＦ１−１，１−２がそれぞれ個別のモジュールとして構成される場合は、各ＡＯＴＦ１−１，１−２間に設けてもよいし、各ＡＯＴＦ１−１，１−２間とＡＯＴＦ１−２の後段とのそれぞれに設けてもよいし、ＡＯＴＦ１−１の前段，各ＡＯＴＦ１−１，１−２間及びＡＯＴＦ１−２の後段のそれぞれに設けてもよい。
【０１０６】
いずれの場合も、ＲＦ周波数が変更されている間は、制御部３によって光スイッチ５−２がオフ制御されて、ＡＯＴＦ１−１，１−２に光信号が入力されないので、同様に、いずれの波長の光信号も透過せず、非選択対象の他の波長の光信号の透過をより確実に防ぐことができる。
（ｄ−２）第１実施形態の第２変形例の説明
ところで、第１実施形態にて前述した光波長選択制御装置１０は、各ＡＯＴＦ１−１，１−２がそれぞれ同一の温度特性を有し１つの共通モジュール１として構成される場合を前提に説明を行なったが、各ＡＯＴＦ１−１，１−２が、それぞれ異なる温度特性を有している場合やそれぞれ個別のモジュール（個別モジュール）として構成されている場合もある。以下、このような場合に対応した装置の説明を行なう。
【０１０７】
（ｄ−２−１）各ＡＯＴＦ１−１，１−２がそれぞれ異なる温度特性を有し１つの共通モジュール１として構成される場合
この場合、各ＡＯＴＦ１−１，１−２の温度特性がそれぞれ異なるので、各ＡＯＴＦ１−１，１−２へ供給（印加）すべきＲＦ周波数が異なる可能性がある。そこで、この場合は、例えば図８に示すように、前記のＲＦ発振器２及びスイッチ４を各ＡＯＴＦ１−１，１−２に対応して複数（２つ）設け、且つ、制御部３が、各スイッチ４をそれぞれ制御するとともに、共通モジュール１の温度変化と各ＡＯＴＦ１−１，１−２の各温度特性とに応じて各ＲＦ発振器２を制御して各ＲＦ周波数をそれぞれ調整しうるようにする。
【０１０８】
ただし、この場合も、各ＡＯＴＦ１−１，１−２の温度と選択波長及びＲＦ周波数との関係が予め明確化されて対応テーブル等として制御部３内に記憶されているものとする。
これにより、図８に示す光波長選択制御装置１０では、共通モジュール１を構成する各ＡＯＴＦ１−１，１−２の温度特性が異なる場合でも、それぞれの温度特性に応じて各ＲＦ発振器２のＲＦ周波数をそれぞれ各ＡＯＴＦ１−１，１−２での波長選択に最適な値に調整することができ、高精度な波長選択処理を行なうことができる。
【０１０９】
なお、この場合も、図８中に破線で示すように、共通モジュール１の後段（前段でもよい）には、各ＲＦ発振器２の周波数変更中（選択波長切り替え時）に非選択光の透過を防ぐスイッチ５−２を設けてもよい。また、制御部３は、ペルチェ効果を利用して共通モジュール１の温度が所定の温度となるように、共通モジュール１の温度を直接的に制御するようにしてもよい。
【０１１０】
即ち、この場合、制御部３は、上記の各スイッチ４をそれぞれ制御するとともに、共通モジュール１の温度が所定の温度となるように共通モジュール１の温度制御を行ない、且つ、各ＡＯＴＦ１−１，１−２の各温度特性に応じて各ＲＦ発振器２を制御して各ＲＦ周波数をそれぞれ調整することになる。
（ｄ−２−２）各ＡＯＴＦ１−１，１−２がそれぞれ異なる温度特性を有し個別のモジュール（個別モジュール）として構成される場合
この場合は、温度制御を行なう場合と温度モニタを行なう場合とで構成が異なる。例えば温度制御を行なう場合は、図９に示すように、制御部３が、各ＡＯＴＦ１−１，１−２の温度特性に応じて個別モジュール１−Ａ，１−Ｂの温度をそれぞれＲＦ周波数一定となる所定温度に制御すれば、温度特性の異なるＡＯＴＦ１−１，１−２が個別のモジュール１−Ａ，１−Ｂとして構成されていても、ＲＦ発振器２及びスイッチ４はそれぞれ各ＡＯＴＦ１−１，１−２に共通のままで、各ＡＯＴＦ１−１，１−２での波長選択処理の精度を向上させることができる。
【０１１１】
一方、温度モニタを行なう場合は、各モジュール１−Ａ，１−Ｂの温度状態によって最適なＲＦ周波数が異なるので、例えば図１０に示すように、前記のＲＦ発振器２及びスイッチ４を各ＡＯＴＦ１−１，１−２に対応して複数（２つ）設け、且つ、制御部３が、各スイッチ４をそれぞれ制御するとともに、各モジュール１−Ａ，１−Ｂの各温度変化に応じて各ＲＦ発振器２を制御して各ＲＦ周波数をそれぞれ調整しうるようにする。
【０１１２】
これにより、図１０に示す光波長選択制御装置１０では、異なる温度特性のＡＯＴＦ１−１，１−２が個別のモジュール１−Ａ，１−Ｂとして構成されていても、各モジュール１−Ａ，１−Ｂの温度状態に応じて各ＲＦ発振器２のＲＦ周波数をそれぞれ各ＡＯＴＦ１−１，１−２での波長選択に最適な値に調整することができ、高精度な波長選択処理を行なうことができる。
【０１１３】
なお、いずれの場合も、ＲＦ発振器２の周波数変更中（選択波長切り替え時）に非選択光の透過を防ぐスイッチ５−２を、モジュール１−Ｂの後段（モジュール１−Ｂの前段，モジュール１−Ａの前段，各モジュール１−Ａ，１−Ｂ間）に設けてもよいし、各モジュール１−Ａ，１−Ｂ間とモジュール１−Ｂの後段とのそれぞれに設けてもよいし、モジュール１−Ａの前段，各モジュール１−Ａ，１−Ｂ間及びモジュール１−Ｂの後段のそれぞれに設けてもよい。
【０１１４】
（ｄ−３）第２実施形態の第１変形例の説明
また、上述の第２実施形態に示す光波長選択制御装置１０Ａ（図３参照）は、例えば、図６に示すように、図１に示すものと同様に、複数のＡＯＴＦ１Ａ−１，１Ａ−２を相互に接続することにより多段構成化してもよい。ただし、この場合も、各ＡＯＴＦ１−１，１−２がそれぞれ同一の温度特性を有しており、１つのモジュール（共通モジュール）１として構成されている場合を考える。
【０１１５】
つまり、これらのＡＯＴＦ１Ａ−１，１Ａ−２では、ＷＤＭ信号から任意のｍ波長の光信号を、ＲＦ発振器２ａ−１〜２ａ−ｍからのＲＦ信号に応じて抽出するようになっている。
但し、この場合、制御部３Ａ′は、各ＡＯＴＦ１Ａ−１，１Ａ−２での波長選択処理に時間差が生じるので、一部のＲＦ発振器２ａ−１〜２ａ−ｍの発振周波数を変更して選択波長の一部を変更する場合でも、全スイッチ４ａ−１〜４ａ−ｍを、一旦、オフ制御して、全てのＲＦ発振器２ａ−１〜２ａ−ｍからの出力を停止させ、発振周波数の変更が完了した時点で、全スイッチ４ａ−１〜４ａ−ｍをオン制御する。
【０１１６】
これにより、図６に示す光波長選択制御装置１０Ａ′も選択波長の変更時に非選択対象の他の波長の光信号の透過を防いで、波長選択処理を高精度に行なうことができる。
なお、このようにＡＯＴＦ１Ａ−１，１Ａ−２を多段構成化した場合も、項目（ｄ−２）にて上述したように、各ＡＯＴＦ１−１，１−２が、それぞれ異なる温度特性を有している場合やそれぞれ個別のモジュールとして構成されている場合には、前記と同様に、ＲＦ発振器２ａ−１〜２ａ−ｍ及びスイッチ４ａ−１〜４ａ−ｍをそれぞれ各ＡＯＴＦ１Ａ−１，１Ａ−２に対応して複数分設けるなどして対応すればよい。
【０１１７】
（ｄ−４）第２実施形態の第２変形例の説明
次に、図３に示す光波長選択制御装置１０Ａには、この図３中に破線で示すように、ＡＯＴＦ１Ａの出力側に、光スイッチ５Ａを設けてもよい。ここで、この光スイッチ５Ａは、上述の光スイッチ５−２とほぼ同様に機能するもので、制御部３ＡがＲＦ発振器２ａ−１〜２ａ−ｍの発振周波数を変更している間、制御部３Ａによってオフ制御されて、ＡＯＴＦ１Ａの出力を停止するようになっている。
【０１１８】
但し、この場合、制御部３Ａは、一部のＲＦ発振器２ａ−１〜２ａ−ｍの発振周波数を変更する場合でも全てのスイッチ４ａ−１〜４ａ−ｍをオフ制御する。
これにより、上述の光スイッチ５Ａを設けた光波長選択制御装置１０Ａでは、スイッチ４ａ−１〜４ａ−ｍだけを設けた場合に比して、より確実に、非選択対象の波長の光信号が選択波長の光信号として透過することを防止することができる。
【０１１９】
（ｄ−５）第３実施形態の第１変形例の説明
次に、上述の第３実施形態に示す光波長選択制御装置１０Ｂ（図５参照）は、例えば、図７に示すように、図１に示すものと同様に、複数のＡＯＴＦ１Ａ−１，１Ａ−２を相互に接続することにより、多段構成化してもよい。ただし、この場合も、各ＡＯＴＦ１−１，１−２がそれぞれ同一の温度特性を有しており、１つのモジュール（共通モジュール）１として構成されている場合を考える。
【０１２０】
つまり、これらのＡＯＴＦ１Ａ−１，１Ａ−２では、ＷＤＭ信号から任意のＮ波長の光信号を、ＲＦ発振器２ｂ−１〜２ｂ−ｎからのＲＦ信号に応じて抽出するようになっている。
但し、この場合も、制御部３Ｂ′は、各ＡＯＴＦ１Ａ−１，１Ａ−２での波長選択処理に時間差が生じるので、選択波長の一部を変更する場合でも、全スイッチ４ｂ−１〜４ｂ−ｎをオフ制御して、全てのＲＦ発振器２ｂ−１〜２ｂ−ｎからのＲＦ信号の出力を、一旦、停止した後、変更後の選択波長に対応するＲＦ信号を同時にＡＯＴＦ１Ａ−１，１Ａ−２へ供給すべく該当するスイッチ４ｂ−１〜４ｂ−ｎだけをオン制御する。
【０１２１】
これにより、図７に示す光波長選択制御装置１０Ｂ′は、図５に示すものに比して、より確実に、非選択対象の他の波長の光信号が選択対象の波長の光信号として透過することを防ぐことができる。従って、さらに波長選択処理の精度を向上することができる。
なお、この場合も、項目（ｄ−２）にて上述したように、各ＡＯＴＦ１−１，１−２が、それぞれ異なる温度特性を有している場合やそれぞれ個別のモジュールとして構成されている場合には、前記と同様に、ＲＦ発振器２ａ−１〜２ａ−ｍ及びスイッチ４ａ−１〜４ａ−ｍをそれぞれ各ＡＯＴＦ１Ａ−１，１Ａ−２に対応して複数分設けるなどして対応すればよい。
【０１２２】
（ｄ−６）第３実施形態の第２変形例の説明
次に、図５に示す光波長選択制御装置１０Ｂには、この図５中に破線で示すように、ＡＯＴＦ１Ａの出力側に、光スイッチ５Ｂを設けてもよい。
ここで、この光スイッチ５Ｂも、上述の光スイッチ５−２，５Ａとほぼ同様に機能するもので、制御部３ＢがＲＦ発振器２ｂ−１〜２ｂ−ｎの発振周波数を変更している間、この制御部３Ｂによって全てのスイッチ４ｂ−１〜４ｂ−ｎとともにオフ制御されてＡＯＴＦ１Ａの出力を停止するようになっている。
【０１２３】
これにより、この場合も、スイッチ４ｂ−１〜４ｂ−ｎだけを設けた場合に比して、より確実に、非選択対象の他の波長の光信号が選択対象の波長の光信号として透過することを防ぐことができる。従って、さらに波長選択処理の精度を向上することができる。
（ｅ）その他
上述の実施形態では、波長選択光フィルタとしてＡＯＴＦの場合を例にしたが、入力周波数信号に応じて光信号の波長選択を行なえるものであれば、ＡＯＴＦ以外のものでもよい。
【０１２４】
また、ＡＯＴＦの温度変化を無視できるときは、温度モニタによるＲＦ信号の周波数の微調整やＡＯＴＦに対する温度制御は行なわなくてもよい。さらに、上述の実施形態では、ＡＯＴＦの多段構成として、２段構成の場合について詳述したが、勿論、３段以上の多段構成としてもよい。
さらに、上述の多段構成では、いずれの場合も、或る特定波長の光信号を高精度に選択する場合について述べたが、例えば図１１に示すように、選択波長と非選択波長（透過波長）との関係を逆にすれば、或る特定波長の光信号を高精度にリジェクト（除去）することが可能になる。ただし、この場合は、非選択光を透過させる必要があるので、前記の光スイッチ５−２を設けることはできない。
【０１２５】
また、上述のＲＦ発振器２，２ａ−１〜２ａ−ｍ，２ｂ−１〜２ｂ−ｎに、電圧制御型のものを用いた場合には、制御部３，３Ａ，３Ｂは、ＲＦ発振器２，２ａ−１〜２ａ−ｍ，２ｂ−１〜２ｂ−ｎの発振周波数と印加電圧との関係を知っているので、ＲＦ信号の周波数をモニタすることにより、スイッチ４，４ａ−１〜４ａ−ｍ，４ｂ−１〜４ｂ−ｎ（又は増幅器４′）を制御する必要はなく、印加する電圧変更後の所定時間経過後に、スイッチ４，４ａ−１〜４ａ−ｍ，４ｂ−１〜４ｂ−ｎ（又は増幅器４′）を制御すればよい。
【０１２６】
（ｆ）付記
（付記１）
複数波長の光信号が波長多重された波長多重光信号から任意の波長の光信号を波長選択用の周波数信号に応じて抽出する波長選択光フィルタを複数そなえ、該波長選択光フィルタが相互に接続されて多段構成化されるとともに、
該波長選択光フィルタにおいて抽出すべき光信号の波長に対応した周波数をもった信号を該波長選択用の周波数信号として出力する周波数発振器をそなえて構成されたことを特徴とする、光波長選択制御装置。
【０１２７】
（付記２）
該周波数発振器から出力される該周波数信号の周波数を制御する制御部をそなえるとともに、
該周波数発振器からの該周波数信号の出力を停止しうる第１停止部が該周波数発振器と該波長選択光フィルタとの間に介装され、且つ、
該制御部が、該周波数発振器から出力される該周波数信号の周波数を変更している間、当該周波数信号の出力を停止させるように該第１停止部を制御することを特徴とする、付記１記載の光波長選択制御装置。
【０１２８】
（付記３）
該複数の波長選択光フィルタがそれぞれ同一の温度特性を有し１つの共通モジュールとして構成されるとともに、
該制御部が、該共通モジュールの温度変化に応じて該周波数発振器を制御して該周波数信号の周波数を調整しうるように構成されていることを特徴とする、付記２記載の光波長選択制御装置。
【０１２９】
（付記４）
該複数の波長選択光フィルタがそれぞれ異なる温度特性を有し１つの共通モジュールとして構成されるとともに、該周波数発振器及び該第１停止部がそれぞれ該複数の波長選択光フィルタに対応して複数設けられ、且つ、
該制御部が、上記の各第１停止部をそれぞれ制御するとともに、該共通モジュールの温度変化と各波長選択光フィルタの各温度特性とに応じて上記の各周波数発振器を制御して各周波数信号の周波数をそれぞれ調整しうるように構成されていることを特徴とする、付記２記載の光波長選択制御装置。
【０１３０】
（付記５）
該複数の波長選択光フィルタがそれぞれ個別モジュールとして構成されるとともに、該周波数発振器及び該第１停止部がそれぞれ該複数の波長選択光フィルタに対応して複数設けられ、且つ、
該制御部が、上記の各第１停止部をそれぞれ制御するとともに、上記の各個別モジュールの各温度変化に応じて上記の各周波数発振器を制御して各周波数信号の周波数をそれぞれ調整しうるように構成されていることを特徴とする、付記２記載の光波長選択制御装置。
【０１３１】
（付記６）
該複数の波長選択光フィルタがそれぞれ同一の温度特性を有し１つの共通モジュールとして構成されるとともに、
該制御部が、該共通モジュールの温度が所定の温度となるように該共通モジュールの温度制御を行なうように構成されていることを特徴とする、付記２記載の光波長選択制御装置。
【０１３２】
（付記７）
該複数の波長選択光フィルタがそれぞれ異なる温度特性を有し１つの共通モジュールとして構成されるとともに、該周波数発振器及び該第１停止部がそれぞれ該複数の波長選択光フィルタに対応して複数設けられ、且つ、
該制御部が、上記の各第１停止部をそれぞれ制御するとともに、該共通モジュールの温度が所定の温度となるように該共通モジュールの温度制御を行ない、且つ、該波長選択光フィルタの各温度特性に応じて上記の各周波数発振器を制御して各周波数信号の周波数をそれぞれ調整しうるように構成されていることを特徴とする、付記２記載の光波長選択制御装置。
【０１３３】
（付記８）
該複数の波長選択光フィルタがそれぞれ異なる温度特性を有し個別モジュールとして構成されるとともに、
該制御部が、該個別モジュールの温度がそれぞれ所定の温度となるように該個別モジュールの温度制御を行なうように構成されていることを特徴とする、付記２記載の光波長選択制御装置。
【０１３４】
（付記９）
該第１停止部が、該制御部からのオフ制御により該周波数発振器からの該周波数信号の出力を停止しうるスイッチとして構成されていることを特徴とする、付記２記載の光波長選択制御装置。
（付記１０）
該第１停止部が、該周波数発振器からの該周波数信号の増幅率を該制御部によって調整されることにより該周波数信号の出力を停止しうる増幅器として構成されていることを特徴とする、付記２記載の光波長選択制御装置。
【０１３５】
（付記１１）
該周波数発振器から出力される該周波数信号の周波数を制御する制御部をそなえるとともに、
該波長選択光フィルタの出力側に、該波長選択光フィルタにおいて抽出された光信号の出力を停止しうる第２停止部が設けられ、且つ、
該制御部が、該周波数発振器から出力される該周波数信号の周波数を変更している間、当該周波数信号の出力を停止させるように該第２停止部を制御することを特徴とする、付記１記載の光波長選択制御装置。
【０１３６】
（付記１２）
該波長選択光フィルタが、それぞれ、音響光学チューナブルフィルタにより構成されていることを特徴とする、付記１〜１１のいずれか１項に記載の光波長選択制御装置。
（付記１３）
Ｎ（Ｎは２以上の自然数）波長の光信号が波長多重された波長多重光信号から最大でｍ（ｍは１＜ｍ＜Ｎを満足する自然数）波長の光信号を波長選択用の周波数信号に応じて抽出する波長選択部と、
該波長選択部において抽出すべき光信号の波長に対応した周波数をもった信号を該波長選択用の周波数信号として出力するｍ個の周波数発振器と、
該周波数発振器から出力される該周波数信号の周波数をそれぞれ制御しうる制御部と、
該周波数発振器からの該周波数信号の出力をそれぞれ停止しうるｍ個の停止部とをそなえるとともに、
該制御部が、該周波数発振器から出力される該周波数信号の周波数を変更している間、当該周波数信号の出力を停止させるように該停止部を制御することを特徴とする、光波長選択制御装置。
【０１３７】
（付記１４）
該波長選択部が、該波長多重光信号から任意のｍ波長の光信号を、該ｍ個の周波数発振器からの該周波数信号に応じて抽出する波長選択光フィルタとして構成されていることを特徴とする、付記１３記載の光波長選択制御装置。
（付記１５）
該波長選択部が、該波長多重光信号から任意のｍ波長の光信号を該ｍ個の周波数発振器からの該周波数信号に応じて抽出する波長選択光フィルタを複数そなえるとともに、
該波長選択光フィルタが、相互に接続されて多段構成化されていることを特徴とする、付記１３記載の光波長選択制御装置。
【０１３８】
（付記１６）
該波長選択光フィルタが、音響光学チューナブルフィルタにより構成されていることを特徴とする、付記１４又は付記１５に記載の光波長選択制御装置。
（付記１７）
該制御部が、該波長選択部の温度変化に応じて該周波数発振器を制御して該周波数信号の周波数を調整しうるように構成されていることを特徴とする、付記１３記載の光波長選択制御装置。
【０１３９】
（付記１８）
該制御部が、該波長選択部の温度が所定の温度となるように該波長選択部の温度制御を行なうように構成されていることを特徴とする、付記１３記載の光波長選択制御装置。
（付記１９）
該停止部が、該制御部からのオフ制御により、該周波数発振器からの該周波数信号の出力を停止しうるスイッチとして構成されていることを特徴とする、付記１３記載の光波長選択制御装置。
【０１４０】
（付記２０）
該停止部が、該周波数発振器からの該周波数信号の増幅率を該制御部によって調整されることにより該周波数信号の出力を停止しうる増幅器として構成されていることを特徴とする、付記１３記載の光波長選択制御装置。
（付記２１）
Ｎ（Ｎは２以上の自然数）波長の光信号が波長多重された波長多重光信号から任意のｍ（ｍは１＜ｍ≦Ｎを満足する自然数）波長の光信号を波長選択用の周波数信号に応じて抽出する波長選択部と、
該波長選択部において抽出すべき光信号の波長に対応した周波数をもった信号を該波長選択用の周波数信号として出力するＮ個の周波数発振器と、
該周波数発振器からの該周波数信号の出力をそれぞれ停止しうるＮ個の停止部と、
該波長選択部において選択すべき光信号の波長を変更する際、変更後の波長に対応する周波数信号の出力を透過させるように該当する停止部を制御する一方、変更後の波長に対応する周波数信号以外の周波数信号の出力を停止させるように該当する停止部を制御する制御部とをそなえて構成されていることを特徴とする、光波長選択制御装置。
【０１４１】
（付記２２）
該波長選択部が、該波長多重光信号から任意のＮ波長の光信号を、該Ｎ個の周波数発振器からの該周波数信号に応じて抽出する波長選択光フィルタとして構成されていることを特徴とする、付記２１記載の光波長選択制御装置。
（付記２３）
該波長選択部が、該波長多重光信号から任意のｍ波長の光信号を該Ｎ個の周波数発振器のうちのｍ個の周波数発振器からの該周波数信号に応じて抽出する波長選択光フィルタを複数そなえるとともに、
該波長選択光フィルタが、相互に接続されて多段構成化されていることを特徴とする、付記２１記載の光波長選択制御装置。
【０１４２】
（付記２４）
該波長選択光フィルタが、音響光学チューナブルフィルタにより構成されていることを特徴とする、付記２２又は付記２３に記載の光波長選択制御装置。
（付記２５）
該制御部が、該波長選択部の温度変化に応じて該周波数発振器を制御して該周波数信号の周波数を調整しうるように構成されていることを特徴とする、付記２１記載の光波長選択制御装置。
【０１４３】
（付記２６）
該制御部が、該波長選択部の温度が所定の温度となるように該波長選択光フィルタの温度制御を行なうように構成されていることを特徴とする、付記２１記載の光波長選択制御装置。
（付記２７）
該停止部が、該制御部からのオフ制御により該周波数発振器からの該周波数信号の出力を停止しうるスイッチとして構成されていることを特徴とする、付記２１記載の光波長選択制御装置。
【０１４４】
（付記２８）
該停止部が、該周波数発振器からの該周波数信号の増幅率を該制御部によって調整されることにより該周波数信号の出力を停止しうる増幅器として構成されていることを特徴とする、付記２１記載の光波長選択制御装置。
【図面の簡単な説明】
【０１４５】
【図１】第１実施形態にかかる光波長選択制御装置の構成を示すブロック図である。
【図２】第１実施形態にかかる光波長選択制御装置の動作を示すフローチャートである。
【図３】第２実施形態にかかる光波長選択制御装置の構成を示すブロック図である。
【図４】第２実施形態にかかる光波長選択制御装置の動作を示すフローチャートである。
【図５】第３実施形態にかかる光波長選択制御装置の構成を示すブロック図である。
【図６】第２実施形態の第１変形例の構成を示すブロック図である。
【図７】第３実施形態の第１変形例の構成を示すブロック図である。
【図８】第１実施形態の第２変形例の構成を示すブロック図である。
【図９】第１実施形態の第２変形例の他の構成を示すブロック図である。
【図１０】第１実施形態の第２変形例の他の構成を示すブロック図である。
【図１１】光波長選択制御装置の他の構成を示すブロック図である。
【図１２】ＷＤＭ伝送システムの構成例を示すブロック図である。
【図１３】光ＡＤＭノードの構成例を示すブロック図である。
【図１４】ＡＯＴＦの構成を示すブロック図である。
【図１５】光波長選択制御装置の一例を示すブロック図である。
【符号の説明】
【０１４６】
１  共通モジュール
１−Ａ，１−Ｂ  モジュール
１−１，１−２，５０，６０ａ，６２Ａ，６２ａ−１〜６２ａ−ｘ，６１３−１〜６１３−ｎ，６１３Ａ  ＡＯＴＦ（波長選択光フィルタ）
１Ａ，１Ａ−１，１Ａ−２  ＡＯＴＦ（波長選択部）
１ａ，１ｂ，１ｂ′，１ｅ，１ｆ，１ｆ′  光入力ポート
１ｃ，１ｃ′，１ｄ，１ｄ′，１ｇ，１ｇ′，１ｈ，１ｈ′  光出力ポート
２，２ａ−１〜２ａ−ｍ，２ｂ−１〜２ｂ−ｎ  ＲＦ発振器（周波数発振器）
３，３Ａ，３Ａ′，３Ｂ，３Ｂ′，５２  制御部
４  スイッチ（第１停止部）
４ａ−１〜４ａ−ｍ，４ｂ−１〜４ｂ−ｎ  スイッチ（停止部）
５−２，５Ａ，５Ｂ  光スイッチ（第２停止部）
６Ａ  カプラ
１０，１０Ａ，１０Ｂ，１０Ａ′，１０Ｂ′，１００  光波長選択制御装置
５０ａ  光入力ポート
５０ｂ，５０ｃ  光出力ポート
５１  ＲＦ発振器
５３  スイッチ
６０  光ＡＤＭ部
６１  送信系（挿入系）
６１′  送信系
６１ａ  波長多重信号分配光源
６１ｂ−１〜６１ｂ−ｎ  ゲートスイッチ
６１ｃ−１〜６１ｃ−ｎ，６１ｃ′  変調部（ＭＯＤ）
６１ｄ，６２ｄ，６１１  合波器
６１ｅ，６２ｃ，６３  光増幅器
６２  受信系（分岐系）
６２′  受信系
６２Ｂ，６２ｂ−１〜６２ｂ−ｘ  受信部
６４  送信光源冗長部
６５  受信部冗長部
５０１，５０１ａ，５０１ｂ  光導波路
５０２  偏波分離部（ＰＢＳ；Polarization beam sprit ）
５０３  ＳＡＷ吸収体
５０４  くし形電極（ＩＤＴ）
５０５  ＳＡＷクラッド部（Ｔｉ−ｄｅｅｐ拡散部）
５０６  ＳＡＷ吸収体
５０７  偏波分離部（ＰＢＳ）
６００  ＡＤＭノード装置
６００Ａ  ＷＤＭ伝送システム
６１０−１〜６１０−ｎ  光源（ＬＤ）
６１０Ａ  チューナブル光源（Ｔ−ＬＤ）
６１２  分波器
６１３′−１〜６１３′−ｎ  バンドパスフィルタ（ＢＰＦ）
６１４  波長安定化回路
【図１】
2006178507.tif 000003
【図２】
2006178507.tif 000004
【図３】
2006178507.tif 000005
【図４】
2006178507.tif 000006
【図５】
2006178507.tif 000007
【図６】
2006178507.tif 000008
【図７】
2006178507.tif 000009
【図８】
2006178507.tif 000010
【図９】
2006178507.tif 000011
【図１０】
2006178507.tif 000012
【図１１】
2006178507.tif 000013
【図１２】
2006178507.tif 000014
【図１３】
2006178507.tif 000015
【図１４】
2006178507.tif 000016
【図１５】
2006178507.tif 000017